(57)【要約】      （修正有）【課題】磁石の磁着力を使って、開閉式の装身具用留め金具の開閉支持部を整合させて開閉することができる装身具用留め金具を提供する。【解決手段】開閉式の留め金具構成体１、４に永久磁石３、１１を配し、閉時に磁着した際に、開閉支持部１０後方に連結されたチェーン１３を緊張方向に引っ張ってチェーン１３を同一直線上に揃えた際に、この直線に対して開閉支持部分１０後方にある開閉用離脱押し部５、６を相互に押しつけて磁力に抗して留め具構成体１、４を開閉する。【選択図】  図１
2005000604.tif 000002
【特許請求の範囲】
【請求項１】
チェーンなどの可撓性を有する線条部材の端部が連結された一体式の留め具構成体が、その留め具構成体の接続支持部後方にある開閉用離脱押し部を整合させ、対向する磁着面の磁力により分離可能に連結される一体式の留め具構成体において、その開閉によりチェーンなどを圧着しながら留めるという装身具用留め具。
【請求項２】
チェーンなどを圧着しながら留めるという動作をする際、その圧着部にシリコンゴム・天然ゴム素材・弾力性素材及びバネ性金属等を用いてズレ防止及びチェーン等本体を破損・損傷することなく圧着しながら留めるという特徴を持った装身具用留め具。
【請求項３】
圧着しながら留めるというその開閉行為をする際、永久磁石の磁着力を利用し、開時にはその留め具構成体の接続支持部後方にある開閉用離脱押し部を整合させて、対向する磁着面の磁力により分離可能になり、閉時には一体式留め金具の接合支持部を軸に上下双方に定位置装着される永久磁石の磁着面の磁力を用いて圧着しながら閉じるという特徴を持った装身具用留め具。
【発明の詳細な説明】
この発明は、ネックレス等のチェーンや紐などの線条部材を連結するために、開閉式連結方法及びズレ防止圧着方法を用いその開閉圧着連結時に永久磁石の磁着力を利用した留め具の改良に関する。
【発明の属する技術分野】この発明は、ネックレス等のチェーンや紐などの線条部材を連結するために永久磁石の磁着力を利用した留め具の改良に関する。
【従来の技術】ネックレスなどのチェーンを連鎖する場合や、紐を連結する場合に機械式構成の留め具ではその着脱操作が煩雑となる欠点があった。そのため、従来より永久磁石を用いた留め具が知られている。例えば、実開昭５６−１５４０１２号公報の係合具では、立上り縁外側一方に向けて取付片を突設した皿状のケース部を一対に設け、一方のケース部には強磁性板を下面として磁極面一方から他方へ係合孔を設けた永久磁石を前記孔が上面に露呈するように固定し、他方のケース部には、内底面に強磁性板を固定すると共に、これらの強磁性板の一方より突出した強磁性桿を前記永久磁石における孔を介して他方の強磁性板に磁着脱自在に当接させた構成が開示されている。上記構成では、ケースと磁石との嵌合並びに取付片を同一位置に設け、磁着面に対するテコ動作のような引き剥がし外力が加わらないようにしているが、磁着したケースを分離させるには対向する一対の取付片をそれぞれ反対方向に捻って磁力に抗して引き離す必要があり、例えば、取付片がケースと共に軟らかな貴金属で成形されているような場合には上記の捻り操作で取付片が曲がってしまう虞れがある。また、特開２０００−４１７１７号の装身具の留め具においては、一対の容器に縦向きに手持ちリングを設け、該手持ちリングを装身具でつないでおり、この場合も手持ちリングは、連結された容器の対向する側に配置されて前記と同様に磁力に抗して引き離す必要があり、同様の問題点があった。
【発明が解決しようとする課題】この発明は上記事情に鑑みて創案されたものであって、その主たる課題は、磁着力で開閉する一体式の留め具構成体を、一体式の支持部分後方にある開閉用離脱押し部を整合させることで開閉でき、また不用意に開閉方向に力が働かず、開閉が必要な際には一体式金具の支持部分を整合させることで開閉できることができるようにした装身具用留め具を提供することにある。この発明の別の課題は、上記主たる課題に加えて、予期せずに外から力が加わった際に開閉することがないようにした装身具用留め具を提供することにある。
【課題を解決するための手段】この発明は、上記課題を解決するために、請求項１の発明では、チェーンなどの可撓性を有する線条部材の端部が連結された一体式の留め具構成体が、その留め具構成体の接続支持部後方にある開閉用離脱押し部を整合させ、対向する磁着面の磁力により分離可能に連結される一体式の留め具構成体において、閉時には横方向及び縦方向に力が加わった場合にも一体型の支持稼動部にて固定されているため、磁着面及び圧着部にズレが発生することはない。また、開時には一体型の支持部分後方にある開閉用離脱押し部を整合させることで、留め具構成体の支持部を支点として磁力に抗して留め具構成体を開閉しうるという技術的手段を講じている。
請求項２の発明では、予期せぬ力が加わったり、粗雑に使用した際にも、その圧着部にシリコンゴム・天然ゴム素材・弾力性素材及びバネ性金属等を用いてズレ防止及びチェーン等本体を破損・損傷することなく圧着しながら留めるという技術的手段を講じている。
請求項３の発明では、圧着しながら留めるというその開閉行為をする際、従来機械式構成の留め具ではその着脱操作が煩雑となる欠点があったが、永久磁石の磁着力を利用することにより、その着脱操作が容易になり、開時においては、その留め具構成体の接続支持部後方にある開閉用離脱押し部を整合させて、対向する磁着面の磁力により分離可能になり、閉時においては一体式留め金具の接合支持部を軸に上下双方に定位置に装着される永久磁石の磁着面の磁力を用いて圧着しながらその磁着力を用いて確実に閉じるという技術的手段を講じている。
【発明の実施の形態】以下に、この発明の装身具用留め具の好適実施例について図面を参照しながら説明する。図１に示す装身具用留め具は可撓性を有する線条部材の一例として示す一本のチェーン１３の端部に取り付けられて、磁着力で圧着連結される一対の留め金具構成体１、４からなっている。
【実施例】一方の留め金具構成体１ともう一方の留め金具構成体４を１０の開閉稼動支持部にて接合され、５、６の支持部分後方にある開閉用離脱押し部を整合させることで、留め具構成体の支持部を支点として磁力に抗して留め具構成体を開くことが容易にできる。また、閉時には１０の開閉稼動支持部を支点に３、１１の永久磁石が持つ磁着力により、容易に圧着装用ができます。次に３、１１の永久磁石は２、１２の定位置磁石ケースにより常に定位置に配され、１０の開閉稼動支持部から常に等距離に配され、閉時には安定した磁着面の磁力によりチェーンに装着が可能になる。また、装身具用留め具を１３のチェーン端部と９のチェーン連結用パーツを介して接合しチェーンに圧着装用した際には、７、８のズレ防止圧着部材により安定感を保ちチェーンを装着することができる。また７、８のズレ防止圧着部材の素材をシリコンゴム・天然ゴム素材・弾力性素材及びバネ性金属等を用いることにより、１３のチェーン本体の破損及び損傷の防止も十分考慮されています。
【発明の効果】以上説明したように、この発明によれば、磁着力で連結する一体型の留め具構成体を、閉時には一体型の支持稼動部にて固定されているためズレの虞もなくその磁着力により、容易に装着できる。また、開時には一体型の支持部分後方にある開閉用離脱押し部を整合させることで、留め具構成体の支持部を支点として磁力に抗して留め具構成体を開くことが容易にできる。また装着時には圧着部にシリコンゴム・天然ゴム素材・弾力性素材及びバネ性金属等を用いてズレ防止及びチェーン等本体を破損・損傷することも防げ、上下双方に定位置に装着される永久磁石の磁着面の磁力により、確実かつ容易に装着が可能になる。
【図面の簡単な説明】
【図１】装身具用留め金具を示した立体図である
【図２】装身具用留め金具を示した具体的装着図である
【図３】装身具用留め金具を示した分解平面図である
【図４】装身具用留め金具を示した装着前具体図である
【符号の説明】１・・・第一留め具構成体
２・・・定位置磁石ケース
３・・・永久磁石
４・・・第二留め具構成体
５・・・第一開閉用離脱押し部
６・・・第二開閉用離脱押し部
７・・・第一閉時ズレ防止圧着部材
８・・・第二閉時ズレ防止圧着部材
９・・・チェーン連結パーツ
１０・・・開閉稼動支持部
１１・・・永久磁石
１２・・・定位置磁石ケース
１３・・・チェーン
【図１】
2005000604.tif 000003
【図２】
2005000604.tif 000004
【図３】
2005000604.tif 000005
【図４】
2005000604.tif 000006